(57)【特許請求の範囲】
【請求項１】
先端に接地部を有する脚と、該脚の中央部に立設して天板へ取付ける支柱とを、備えるテーブルの脚構造であって、
前記脚は、前後または前後左右の枝脚と、これら枝脚の間に介在する基脚とに分割形成されて、前記枝脚と基脚とは、基脚から前後または前後左右の方向に突出させた係合部を、前後または前後左右の枝脚の基端側に設けた係止凹部へ嵌合することにより接合され、更に、前後または前後左右の枝脚と基脚との下側には、相通するように溝部を形成して、この溝部に一方の枝脚から他方の枝脚に跨る連結杆を嵌合し、該連結杆と、前後または前後左右の枝脚と、基脚とが重合する部分には、前記支柱に設けためねじに対応するボルト孔をそれぞれ貫設し、このボルト孔から支柱のめねじへボルトを螺合して、脚を支柱へ固定したことを特徴とするテーブルの脚構造。
【請求項２】
前後または前後左右の枝脚におけるボルト孔が設けられる部分の上側に、上記支柱に設けられた受凹部に嵌合する突起が設けられていることを特徴とする請求項１記載のテーブルの脚構造。
【請求項３】
前後または前後左右の枝脚を基脚に接合して、枝脚と基脚の溝部に連結杆を嵌合し、連結杆と基脚と枝脚とを、ねじ結合して一体化したことを特徴とする請求項１または２記載のテーブルの脚構造。
【請求項４】
基脚から、前後の方向に突出する係合部の先端部が、左右方向に末広状に拡開され、前後の枝脚に設けられた係止凹部の先端が、係合部と同様に拡開されていることを特徴とする請求項１〜３のいずれかに記載のテーブルの脚構造。
【請求項５】
基脚の溝部に、下向きに突出する突起を設け、連結杆に上記突起に嵌合する孔部を設けたことを特徴とする請求項１〜４のいずれかに記載のテーブルの脚構造。
【発明の詳細な説明】
【０００１】
【発明の属する技術分野】
本発明は、テーブルの脚構造に関する。
【０００２】
【従来の技術】
従来、テーブルの脚構造(29)は、図８に示す通り、上端を天板(30)の裏面に固定した支柱(31)の下端に、前後または前後左右の方向に突出する枝脚(32)を一体形成したものが多く使用されている。
【０００３】
しかし、このような一体形成した脚構造では、脚が用途や設置環境に適合しない場合、支柱も含む脚構造全体を、新たに製作しなければならず、また使用中に、一部の脚が汚損もしくは損傷した場合も、脚構造全体を交換しなければならない。
【０００４】
【発明が解決しようとする課題】
本発明は、上記した脚構造に見られる問題点を解消して、脚を枝脚と基脚とに分割形成し、枝脚だけを用途や設置環境に適合したものを選択することにより、多様的で補修もし易いようにしたテーブルの脚構造を提供する。
【０００５】
【課題を解決するための手段】
(１) 先端に接地部を有する脚と、該脚の中央部に立設して天板へ取付ける支柱とを、備えるテーブルの脚構造であって、前記脚は、前後または前後左右の枝脚と、これら枝脚の間に介在する基脚とに分割形成されて、前記枝脚と基脚とは、基脚から前後または前後左右の方向に突出させた係合部を、前後または前後左右の枝脚の基端側に設けた係止凹部へ嵌合することにより接合され、更に、前後または前後左右の枝脚と基脚との下側には、相通するように溝部を形成して、この溝部に一方の枝脚から他方の枝脚に跨る連結杆を嵌合し、該連結杆と、前後または前後左右の枝脚と、基脚とが重合する部分には、前記支柱に設けためねじに対応するボルト孔をそれぞれ貫設し、このボルト孔から支柱のめねじへボルトを螺合して、脚を支柱へ固定する。
【０００６】
(２) 上記(１)項において、前後または前後左右の枝脚におけるボルト孔が設けられる部分の上側に、上記支柱に設けられた受凹部に嵌合する突起を設ける。
【０００７】
(３) 上記(１)または(２)項において、前後または前後左右の枝脚を基脚に接合して、枝脚と基脚の溝部に連結杆を嵌合し、連結杆と基脚と枝脚とを、ねじ結合して一体化する。
【０００８】
(４) 上記(１)〜(３)項のいずれかにおいて、基脚から、前後の方向に突出する係合部の先端部が、左右方向に末広状に拡開され、前後の枝脚に設けられた係止凹部の先端が、係合部と同様に拡開されている。
【０００９】
(５) 上記(１)〜(４)項のいずれかにおいて、基脚の溝部に、下向きに突出する突起を設け、連結杆に上記突起に嵌合する孔部を設ける。
【００１０】
【発明の実施の形態】
以下、本発明のテーブルの脚構造の実施形態を、図面を参照しながら説明する。
【００１１】
図１乃至図４は、本発明のテーブルの脚構造(１)の一例を示す。この脚構造(１)は、図１に示すように、取付部(２)により天板(３)の裏面に取り付けた支柱(４)と、この支柱(４)の下端に取り付けられる前後の枝脚(５)と、支脚(５)の間に介在させる基脚(６)と、枝脚(５)と基脚(６)との連結を行なう連結杆(７)とで構成されている。
なお、本明細書においては、テーブルにおける天板（３）の裏面の両端近傍に設けられた脚（５）（５）を結ぶ方向を左右方向とするとともに、これに直交する方向を前後方向とする（図１参照）。
【００１２】
支柱(４)は、金属の円または角パイプ等からなるものを、所定の間隔で２本並べてなり、その下端部の下縁よりも少し上方に、めねじ(８)を嵌合固着し、このめねじ(８)の下側に、枝脚(５)に設ける後記突起の受凹部(９)を形成させている。
【００１３】
枝脚(５)は、アルミダイカスト等により、下向きのコ字形断面形状で、裏側に適当に補強リブ(10)を配してなり(図４参照)、図示の実施例のように、長いものと短いものをセットにするか、他の実施例として同じ長さのもの同士をセットにする。形状は、一般的に基部側は幅が狭くて厚さが厚く、先端側は、幅が次第に広くなって、厚さは薄くなる図２に示すようなものが、好ましく用いられる。
【００１４】
上記枝脚(５)の基部に、ボルト孔(11)を垂直方向に設け、ボルト孔(11)の上方開口部には、支柱(４)の受凹部(９)に対応する突起(12)を設け、更に基部の裏側には、図３に示すように、基脚(６)の前後に突出させた係合部(13)を嵌合する係止凹部(14)を設け、係止凹部(14)の外側には、連結杆(７)を締着するめねじ(15)を設けてあり、先端の接地部には、接地状態を調整する調整ねじ(16)を螺合してある。
【００１５】
基脚(６)は、アルミダイカスト等により、図２、図３に示すように、下向きのコ字形の断面形状で、裏側に補強リブ(17)を適当に配した構造(図４参照)としたもので、前後の方向に突出させた係合部(13)を枝脚(５)の係止凹部(14)に嵌合して、枝脚(５)と接合すると、その上面及び両側面が枝脚(５)との上面及び両側面に揃うようにし、また上記係合部(13)の、枝脚(５)に設けたボルト孔(11)に一致する部分には、ボルト孔(18)を設け、更に上記係合部(13)の先端部には、左右方向に末広がりに拡開する枝脚(５)の側縁形状に適合するように、末広がりの拡開部(13a)を設けて、枝脚(５)の側縁との係合により位置決めが行なわれるようにしてある。
【００１６】
上記基脚(６)と、その前後に接合される枝脚(５)の裏側には、連結杆(７)を嵌合する溝部(19)が相通するように設けてあり、基脚(６)の溝部(19)の中心には、突起(20)が設けられ、突起(20)の両側には、連結杆(７)を締着するめねじ(21)が設けられている。
【００１７】
連結杆(７)は、鋼板を曲げ加工して、図２に示すように、下向きのコ字形断面に形成したもので、基脚(６)の前後に接合した一方の枝脚(５)の基部から、他方の枝脚(５)の基部に跨る長さとし、中心に基脚(６)の突起(20)に係合する孔部(22)を設け、その両側に、基脚(６)のめねじ(21)に対応する孔部(23)を設け、孔部(23)の外側には、基脚(６)のボルト孔(18)と枝脚(５)のボルト孔(11)とに一致するボルト孔(24)を設け、ボルト孔(24)の外側には、枝脚(５)に設けためねじ(15)に対応する孔部(25)を設けてある。
【００１８】
上記連結杆(７)は、枝脚(５)と基脚(６)とを、基脚(６)の係合部(13)と枝脚(５)の係止凹部(14)との嵌合により接合しておいて、基脚(６)の溝部(19)内へ嵌め込み、孔部(25)から枝脚(５)のめねじ(15)へねじ(27)を、孔部(23)から基脚(６)のめねじ(21)へねじ(26)を、それぞれ締着すると、前後の枝脚(５)と基脚(６)と連結杆(７)とは一体結合される。
【００１９】
この状態において、前後の枝脚(５)の突起(12)を、支柱(４)の受孔(９)に嵌め込み、連結杆(７)、基脚(６)、枝脚(５)に設けられるボルト孔(24)(18)(11)にボルト(28)を通してめねじ(８)に締着すれば、枝脚(５)と基脚(６)とは支柱(４)に固定されて強固な脚構造(１)が形成される。この脚構造(１)は、使用中に枝脚(５)が汚損または損傷することがあれば、他の部分はそのままにして、その枝脚だけを簡単に交換することができる。
【００２０】
本発明の脚構造(１)は、別の実施形態として、図５に示すように、基脚(６)を、前後だけでなく左右にも、枝脚(５)との係合部(13)を有する十字形に形成するとともに、連結杆(７)も、図６に示すように、十字形に形成してもよい。
【００２１】
基脚(６)における四方に突出する係合部(13)に、図７に示すように、４本の枝脚(５)の係止凹部(14)をそれぞれ係合させて、基脚(６)と各枝脚(５)とを接合し、基脚(６)の裏側に設けられる溝部(19)に連結杆(７)を嵌合して、連結杆(７)と基脚(６)と前後左右の枝脚(５)とを、ボルト孔(11)(18)(24)にボルト(28)を通して、４本の支柱(４)に固定されるめねじ(８)へ螺合すれば、４本の枝脚(５)と基脚(６)とが支柱(４)へ固定され、四方へ枝脚(５)が張出す脚構造(１)が形成される。
【００２２】
【発明の効果】
本発明によると、次のような効果を奏することができる。
(ａ) 請求項１の発明によれば、テーブルの用途や設置環境に適合する大きさやデザインの枝脚を選定すれば、他部品は同一のままで、多様的な脚構造が得られる。
汚損や損傷を生じ易い枝脚だけを離脱交換できるため、補修を便利に経済的に行なえる。
【００２３】
(ｂ) 請求項２の発明によれば、枝脚の突起を支柱の受凹部に係合させれば、枝脚と支柱は正確に位置合わせされて動かないため、支柱へのボルト結合が簡単に行なえる。
【００２４】
(ｃ) 請求項３の発明によれば、枝脚・基脚・連結杆をねじ結合により一体化すれば、強度が向上するとともに、これらの部品の一括取付けができるので、作業能率が上がる。
【００２５】
(ｄ) 請求項４の発明によれば、基脚の係合体を枝脚の側縁内に収めるだけで、両者は、末広状の拡開により正しく位置合わせされて、不動となり組み立て易い。
【００２６】
(ｅ) 請求項５の発明によれば、基脚の溝部に連結杆を嵌合するとき、連結杆の孔部を基脚の突起に係合させれば、連結杆と基脚とに設けられる孔合わせが、雑作なく正確に行なわれる。
【図面の簡単な説明】
【図１】  本発明のテーブルの脚構造を示す裏面斜視図である。
【図２】  本発明の一実施例を示す脚構造の分解斜視図である。
【図３】  脚構造の要部を縦断して示す側面図である。
【図４】  図３におけるIV−IV線横断面図である。
【図５】  他の例を示す十字形基脚の裏面図である。
【図６】  他の例を示す十字形連結杆の裏面図である。
【図７】  前後、左右の枝脚を有する脚構造の支柱を横断して示す横断平面図である。
【図８】  従来のテーブルの脚構造を示す斜視図である。
【符号の説明】
(１)脚構造
(２)取付部
(３)天板
(４)支柱
(５)枝脚
(６)基脚
(７)連結杆
(８)めねじ
(９)受凹部
(10)補強リブ
(11)ボルト孔
(12)突起
(13)係合部
(14)係止凹部
(15)めねじ
(16)調整ねじ
(17)補強リブ
(18)ボルト孔
(19)溝部
(20)突起
(21)めねじ
(22)(23)孔部
(24)ボルト孔
(25)孔部
(26)(27)ねじ
(28)ボルト
【図１】
0004331311.tif 000002
【図２】
0004331311.tif 000003
【図３】
0004331311.tif 000004
【図４】
0004331311.tif 000005
【図５】
0004331311.tif 000006
【図６】
0004331311.tif 000007
【図７】
0004331311.tif 000008
【図８】
0004331311.tif 000009